(57)【要約】      （修正有）【課題】優秀な伸縮性及びより長い伸縮の長さを有し、且つイヤホンケーブルの使用年限及び使用効果の増大を図ることができる弾性イヤホンケーブルを提供する。【解決手段】本考案の弾性イヤホンケーブルは、弾性芯線１と、当該弾性芯線１の表面に編まれる導電層２と、当該導電層２の表面に套設される弾性絶縁保護層３とを有し、当該導電層２はエナメル線で編まれる弾性網状伸縮管であり、当該導電層２は当該弾性芯線１を中心として、エナメル線で網状伸縮管の形に編まれる伸縮機能を有する網状伸縮管の形の当該導電層２であり、弾性芯線１、導電層２及び弾性絶縁保護層３で弾性イヤホンケーブルを組み立てる。弾性絶縁保護層３の内面には潤滑剤が充填されていてもよく、また、エナメル線の表面に同じ色や異なる色のエナメル塗料が塗布されていて、編まれた導電層２によって図案が形成されるようにしてもよい。【選択図】図１
0003207612.tif 000002
【実用新案登録請求の範囲】
【請求項１】
弾性芯線と、当該弾性芯線の表面に編まれる導電層と、当該導電層の表面に套設される弾性絶縁保護層とを有し、当該導電層はエナメル線で編まれる弾性網状伸縮管であり、当該導電層は当該弾性芯線を中心として、エナメル線で網状伸縮管の形に編まれる伸縮機能を有する網状伸縮管の形の当該導電層であることを特徴とする弾性イヤホンケーブル。
【請求項２】
前記弾性絶縁保護層の内面に潤滑剤が塗られることを特徴とする請求項1に記載の弾性イヤホンケーブル。
【請求項３】
エナメル線の表面に同じ色や異なる色のエナメル塗料が設けられ、編まれた導電層によって図案が形成されることを特徴とする請求項1に記載の弾性イヤホンケーブル。
【考案の詳細な説明】
【技術分野】
【０００１】
本考案は、電線及び電纜の技術を関し、具体的に弾性イヤホンケーブルの製造方法及び製品を関する。
【背景技術】
【０００２】
普通に一般的な導線が金属の導線で構成され、しかしその曲げ疲れ強度がより悪くて、よい低くて、動態的な場合の運用に満足できない。例えば、中国実用新案200620090447.3の《伸縮可能な電線、電纜》及び出願番号86203746の《弾性導線及び電纜》に二種類の伸縮性を有する導線が掲示され、両方の共通点は導線芯線であるゴム条とゴム条に締め付けられる導体で構成されることであり、メリットはある程度の伸縮性を有することであり、しかし金属製の導体は金属疲労があることが不可避であり、もし伸縮するや曲げることが繰り返されると金属導体が断裂するようになり、従って、上述の二種類の製品が実際に運用される使用年限が短いというより重大な問題が存在する。
【考案の概要】
【考案が解決しようとする課題】
【０００３】
そこで、上記の問題点に対して、弾性イヤホンケーブルの製造方法及び製品を提供することが本考案の課題となり、本考案の製造方法は、エナメル線を網状伸縮管に編み、従って製造されたイヤホンケーブルは優秀な伸縮性及びより長い伸縮の長さを有し、且つイヤホンケーブルの使用年限及び使用効果が増加される。
【課題を解決するための手段】
【０００４】
前記問題点を解決でき、上記目的を達成するために、本考案の弾性イヤホンケーブルは、弾性芯線と、当該弾性芯線の表面に編まれる導電層と、当該導電層の表面に套設される弾性絶縁保護層とを有し、当該導電層はエナメル線で編まれる弾性網状伸縮管であり、当該導電層は当該弾性芯線を中心として、エナメル線で網状伸縮管の形に編まれる伸縮機能を有する網状伸縮管の形の当該導電層である。
【０００５】
前記弾性絶縁保護層の内面に潤滑剤が塗られる。
【０００６】
エナメル線の表面に同じ色や異なる色のエナメル塗料が設けられ、編まれた導電層によって図案が形成される。
【考案の効果】
【０００７】
本考案は、従来の技術と比べて、次に列挙する効果がある。
【０００８】
本考案は弾性芯線を中心としてエナメル線を編み、伸縮機能を有する網状伸縮管の形の導電層を得って、導電層、弾性芯線及び弾性絶縁保護層で弾性イヤホンケーブルを組み立てることであり、該弾性イヤホンケーブルは優秀な伸縮性及びより長い伸縮の長さを有し、イヤホンケーブルの使用年限が増加され、イヤホンケーブルの使用方法が多くなる。
【０００９】
弾性絶縁保護層の内面に潤滑剤が塗られ、弾性イヤホンケーブルが常に伸縮する場合に、導電層及び弾性絶縁保護層は順調に滑るようになり、数回に伸縮したり曲げたりしても、導電層が摩損されなく、弾性イヤホンケーブルの機能が保証される。
【００１０】
エナメル線の表面のエナメル塗料は同じ色や異なる色のエナメル塗料であり、編みの技術で、編まれた弾性網状伸縮管は各種の図案を有するようになる。
【図面の簡単な説明】
【００１１】
【図１】本考案の全体の構造を示す図
【図２】図1の構造を示す断面図
【考案を実施するための形態】
【００１２】
以下、本考案の実施の形態について、図面を参照して詳細に説明する。
【００１３】
図1及び至図2に示すように、本考案の弾性イヤホンケーブルの製造方法は、下述の措置を有する。
【００１４】
(1) 弾性芯線1の製造：射出成形機で弾性糸が射出され、弾性イヤホンケーブルの弾性芯線1とする。
【００１５】
(2) 導電層2の製造：弾性芯線1を中心として、その外面に導電層2が編まれ、当該導電層2はエナメル線で編まれた弾性網状伸縮管であり、当該弾性網状伸縮管と当該弾性芯線1が緊密に結合される。
【００１６】
(3) 弾性絶縁保護層3の製造：射出成形機で円筒状の弾性絶縁保護層3が射出され、当該弾性絶縁保護層3は半透明や透明であり、その内径は導電層2の外径より大きいであり、当該弾性絶縁保護層3内面に潤滑剤が塗られ、当該弾性絶縁保護層3が当該導電層2の外に套設され、靭性が強い弾性イヤホンケーブルが形成される。
【００１７】
エナメル線の表面に同じ色や異なる色のエナメル塗料が設けられ、編まれた弾性網状伸縮管で各種の図案に形成される。且つ透明や半透明の弾性絶縁保護層3で平面の図案が観察されるようになる。
【００１８】
本考案の弾性イヤホンケーブルは、弾性芯線1と、当該弾性芯線1の表面に編まれる導電層2と、当該導電層2の表面に套設される弾性絶縁保護層3とを有し、当該導電層2はエナメル線で編まれる弾性網状伸縮管であり、当該弾性絶縁保護層3内面に潤滑剤が塗られる。
【００１９】
前記導電層2は前記弾性芯線1を中心として、エナメル線で網状伸縮管の形に編まれる伸縮機能を有する網状伸縮管の形の当該導電層である。
【００２０】
エナメル線の表面に同じ色や異なる色のエナメル塗料が設けられ、編まれた導電層によって図案が形成される。
【００２１】
本考案の製造方法は、弾性芯線を中心としてエナメル線を網状伸縮管の形の導電層2に編み、外導電層2、弾性芯線1及び弾性絶縁保護層3で弾性イヤホンケーブルを組み立てることであり、該弾性イヤホンケーブルは優秀な伸縮性及びより長い伸縮の長さを有し、イヤホンケーブルの使用年限が増加され、イヤホンケーブルの使用方法が多くなる。
【００２２】
弾性絶縁保護層3内面に潤滑剤が塗られ、弾性イヤホンケーブルが常に伸縮する場合に、導電層2、弾性芯線1及び当該弾性絶縁保護層3は順調に滑るようになり、数回の伸縮や曲げでも、当該導電層2が摩損されなく、弾性イヤホンケーブルの機能が保証される。
【００２３】
エナメル線の表面のエナメル塗料は同じ色や異なる色のエナメル塗料であり、編みの技術で、編まれた弾性網状伸縮管は鮮やかな色を有する各種の図案を有するようになる。
【００２４】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２５】
1     弾性芯線
2     導電層
3     弾性絶縁保護層
【図１】
0003207612.tif 000003
【図２】
0003207612.tif 000004